【事件の表示】
　平成１１年特許願第１４５９２６号「弾球遊技機」拒絶査定不服審判事件〔平成１２年１２月　５日出願公開、特開２０００−３３４１３０〕について、次のとおり審決する。
【結　論】
　本件審判の請求は、成り立たない。
【理　由】
１．手続の経緯
　本願は、平成１１年５月２６日に出願されたものであって、平成１５年９月２９日付けで拒絶理由が通知され、その指定期間内である同年１２月４日に意見書及び手続補正書が提出され、平成１６年２月６日付けで拒絶査定がなされ、これに対し、同年３月１１日に拒絶査定不服審判が請求されるとともに、同年４月９日付けで手続補正がなされた。
　さらに、当審において平成１９年７月１２日付けで、平成１６年４月９日付け手続補正が却下されるとともに、最後の拒絶理由が通知され、これに対して、平成１９年９月１３日に手続補正書が提出されたものである。
　
２．平成１９年９月１３日付けの手続補正についての補正却下の決定
［補正却下の決定の結論］
　　平成１９年９月１３日付けの手続補正を却下する。
　
［理由］
（１）補正後の本願発明
　上記補正により、特許請求の範囲の請求項１は、
「その内部に普通入賞領域(23)(24)及び特定入賞領域(22)を有する大入賞手段(13)と、遊技球を検出する始動手段(12)と、該始動手段(12)が遊技球を検出することを条件に１個又は複数個の図柄が所定時間変動して停止する図柄表示手段(18)と、該図柄表示手段(18)の変動後の停止図柄が大当たり図柄となったときに、前記大入賞手段(13)を遊技者に不利な状態から有利な状態に変換駆動する利益状態を発生させる利益状態発生手段(41)と、前記大入賞手段(13)に遊技球が入賞したときに所定数の賞品球を払い出す払い出し手段(42)と、前記特定入賞領域(22)に遊技球が入賞したときに遊技者に有利な価値を付与する価値付与機能とを備え、前記普通入賞領域(23)(24)への遊技球の１入賞に対して前記払い出し手段(42)が払い出すべき賞品球の賞品球数を固定とし、前記特定入賞領域(22)に対応して前記価値付与機能とは別に設けられ、且つ該特定入賞領域(22)への遊技球の１入賞に対して前記払い出し手段(42)が払い出すべき賞品球の賞品球数を、前記図柄表示手段(18)の大当たり図柄の種類によって変化させる賞品球数制御手段(44)を備え、前記大入賞手段(13)は賞品球数を表示する表示手段(34)をその前面に備えたことを特徴とする弾球遊技機。」
と補正された。
　
（２）補正の内容
　上記補正は、補正前の請求項１に記載した発明を特定するために必要な事項である「入賞領域（２２）〜（２４）」について「特定入賞領域（２２）、普通入賞領域（２３）（２４）」との限定を付加し、同じく「大入賞手段（１３）」について「その内部に普通入賞領域（２３）（２４）及び特定入賞領域（２２）を有する」との限定を付加し、同じく「払い出し手段（４２）」について「大入賞手段（１３）に遊技球が入賞したときに所定数の賞品球を払い出す」との限定を付加し、同じく入賞領域への「遊技球の１入賞に対して前記払い出し手段（４２）が払い出すべき賞品球の賞品球数」について「普通入賞領域（２３）（２４）」は「固定とし」、また、「特定入賞領域（２２）」は「図柄表示手段（１８）の大当たり図柄の種類によって変化させる」との限定を付加し、さらに該「特定入賞領域（２２）」について、「特定入賞領域（２２）に遊技球が入賞したときに遊技者に有利な価値を付与する価値付与機能」との限定を付加し、また、同じく「賞品球数制御手段（４４）」について「特定入賞領域（２２）に対応して価値付与機能とは別に設けられ」との限定を付加するとともに、「大入賞手段(13)」について「賞品球数を表示する表示手段(34)をその前面に備えた」点を追加したものである。
　
（３）判断
　しかし、補正前の請求項１に係る発明において、「大入賞手段(13)」は、「複数個の入賞領域(22)〜(24)を有する」とともに、「図柄表示手段(18)の変動後の停止図柄が大当たり図柄となったときに、遊技者に不利な状態から有利な状態に変換駆動する」ものとなっており、変化する賞品球数を表示する機能は有しておらず、また、請求項２も含めて、補正前の特許請求の範囲には、賞品球数を表示する手段は記載されていない。
　よって、上記補正により追加された「賞品球数を表示する表示手段(34)をその前面に備えた」ことによって解決される課題は、補正前の請求項１及び２に係る発明が解決しようとする課題とは異なるものを含んでいると言わざるを得ない。
　すなわち、上記補正は、解決しようとする課題が同一である発明の構成に欠くことのできない事項の範囲内において、その補正前発明の構成に欠くことのできない事項の全部又は一部を限定するものとは言えないから、平成１８年改正前特許法第１７条の２第４項第２号における特許請求の範囲の減縮には当たらない。
　さらに、上記補正が請求項の削除、誤記の訂正、明瞭でない記載の釈明でないことは明らかである。
　
（４）むすび
　したがって、上記補正は、平成１８年改正前特許法第１７条の２第４項の各号に掲げるいずれの事項を目的とするものにも該当せず、同項の規定に違反するものであるから、同法第１５９条第１項において読み替えて準用する同法第５３条第１項の規定により、却下すべきものである。
　よって、結論のとおり決定する。
　
　なお、本願の願書に添付した明細書の請求項７に係る発明における「前記入賞領域(22)〜(24)の近傍に、前記賞品球数を表示する賞品球数表示手段(34)を設けた」という構成は、平成１５年９月２９日付け拒絶理由通知を受けて、削除されている。
　
３．本願発明について
（１）本願発明
　平成１９年９月１３日付けの手続補正は上記のとおり却下されたので、本願の請求項１に係る発明（以下、「本願発明」という。）は、平成１５年１２月４日付け手続補正書の特許請求の範囲の請求項１に記載された事項により特定される、以下のとおりのものである。
「複数個の入賞領域(22)〜(24)を有する大入賞手段(13)と、遊技球を検出する始動手段(12)と、該始動手段(12)が遊技球を検出することを条件に１個又は複数個の図柄が所定時間変動して停止する図柄表示手段(18)と、該図柄表示手段(18)の変動後の停止図柄が大当たり図柄となったときに、前記大入賞手段(13)を遊技者に不利な状態から有利な状態に変換駆動する利益状態を発生させる利益状態発生手段(41)と、賞品球を払い出す払い出し手段(42)とを備え、複数の前記入賞領域(22)〜(24)の一部又は全部に対応して設けられ、且つ前記入賞領域(22)〜(24)への遊技球の１入賞に対して前記払い出し手段(42)が払い出すべき賞品球の賞品球数を、前記図柄表示手段(18)の大当たり図柄の種類によって変化させる賞品球数制御手段(44)を備えたことを特徴とする弾球遊技機。」
　
（２）引用文献
　当審で通知した拒絶理由に引用した、本願出願前に国内において頒布された刊行物である特開平７−３２８２１０号公報（以下「引用文献１」という。）には、
【請求項１】  遊技盤面に設けられた入賞装置に遊技球が入賞した場合に、所定数の賞品球を払い出す弾球遊技機において、
遊技球の入賞を検出する検出手段を備えた複数種類の入賞装置と、
前記検出手段ごとに出力されたそれぞれの検出信号を受けて、前記検出信号ごとに対応する個数の賞品球を払い出す払出手段と、
を有することを特徴とする弾球遊技機。
【００１８】第三種始動口１１６は始動入賞装置の一つであって、大入賞口１１８の蓋１２０を所定の期間（例えば、１０秒間）だけ開ける。この第三種始動口１１６に遊技球Ｂが入賞すると、「第２の当たり」（以下、本実施例において単に「大当たり」と呼ぶ。）になる。大入賞口１１８は可変入賞装置一つであって、遊技盤表面１０２の中央下部に設けられた横長の入賞口である。この大入賞口１１８は、「大当たり」の際に開く蓋１２０を備えている。
【００１９】・・・ゲート１４０は、遊技球Ｂの通過を検出する。アウト口１４４は遊技盤表面１０２の下部であって、レール１１４を挟んで設けられている。
【００２１】検出スイッチ１６４等はいずれも遊技球Ｂの通過を検出するスイッチであって、磁性の変化によって上記通過を判定する近接スイッチが一般に用いられる。・・・検出スイッチ１８０は、大入賞口１１８に入賞した遊技球Ｂを検出する。なお、検出スイッチ１６４等によって検出された検出信号は、いずれも図７に示す制御部３２０に送られて所定数の賞品球を払い出す他に、普通電動役物１３０や大入賞口１１８等の動作を制御するための検出装置としても用いられる。
【００２２】普通電動役物ソレノイド１６２は、普通電動役物１３０に設けられたチューリップ１３２を「当たり」の際に開閉させるためのソレノイドである。また、大入賞口ソレノイド１８６は、大入賞口１１８に設けられた蓋１２０を「大当たり」の際に開閉させるためのソレノイドである。
【００６１】さらに、ゲート１４０を遊技球Ｂが通過した場合には、普通電動役物１３０を所定の期間だけ開けるように構成したが、特別図柄を変動させ、その変動後に停止した状態で表示された特別図柄が所定の図柄と一致した場合を「大当たり」とする特別図柄表示装置を動作させるように構成してもよい。この特別図柄表示装置により、普通電動役物１３０に入賞するか否かように遊技球Ｂの転動によって決まる態様だけでなく、電気的な「くじ」による当たりか否かを期待する期待感が得られる。・・・
【００６２】同様に、上記の特別図柄表示装置の特別図柄を変動させ、その変動後に停止した状態で表示された特別図柄が所定の図柄と一致した場合に、その一致した図柄ごとに払い出す賞品球の個数を変える構成としてもよい。例えば、特別図柄表示装置に停止して表示された特別図柄が「７７７」の場合には１３個払い出し、特別図柄が「☆☆☆」の場合には１０個払い出し、その他の場合には７個払い出す態様がある。なお、入賞したときの払い出しの対象となる入賞装置は、三種類の入賞装置（入賞口１３８、普通電動役物１３０等、大入賞口１１８）や、その他の入賞装置のいずれであってもよい。この構成では、電気的な「くじ」によって払い出される賞品球の個数が決まるので、遊技者は「くじ」の結果が出るまでの間に期待感を持つことができる。
【００６３】そして、入賞装置ごと、あるいは遊技状態ごとに払い出す賞品球の個数を変えるように構成したが、一部の入賞装置については入賞の際に払い出す個数を固定し、他の入賞装置については現在の遊技状態に応じて入賞の際に払い出す個数を可変にする構成としてもよい。この構成では、弾球遊技機１００の遊技盤表面１０２上に配置される入賞装置に応じて、遊技者に適切な入賞態様を提供することができる。したがって、遊技者は特定の入賞装置を狙って遊技し、より多くの賞品球を獲得する機会が得られる。
との記載が認められる。
　
　摘記した上記の記載から、引用文献１には、
「大入賞口１１８と、
遊技球Ｂの通過を検出するゲート１４０と、
該ゲート１４０を遊技球Ｂが通過した場合には、特別図柄を変動させ、その変動後に停止した状態で表示させる特別図柄表示装置１２２と、
該特別図柄表示装置１２２の変動後に停止した状態で表示された特別図柄が所定の図柄と一致した場合に、大入賞口１１８に設けられた蓋１２０を開閉させるための大入賞口ソレノイド１８６と、
賞品球を払い出す払出手段とを備え、
一部の入賞装置以外の他の入賞装置については特別図柄表示装置に停止して表示された特別図柄が「７７７」の場合、特別図柄が「☆☆☆」の場合、その他の場合で、入賞の際に払い出す賞品球の個数を可変にする弾球遊技機。」
の発明（以下「引用発明」という。）が開示されていると認めることができる。
　
　また、原査定の拒絶の理由及び当審で通知した拒絶理由に引用された、特開平６−２８５２３２号公報（以下、「引用文献２」という。）には、パチンコ機の入賞装置について、
【００１４】一方、前記入賞ケース１１の背部には装着ケース２０が固定されている。そして、作動孔１３は装着ケース２０内により内奥深く形成される。また作動孔１３内には前方へ緩傾斜した傾斜受棚２２が配設され、さらに、該傾斜受棚２２の前縁に端縁を連接させて、裾板２３が垂直状に配設され、前記裾板２３の前部を傾斜受棚２２の端縁から下方へ直下状に連続する流下路２４としている。この流下路２４の下底には、後述するように玉を後方へ排出する左右の普通入賞口２６，２６と、その中央部の特定入賞口２７とが設けられている。前記普通入賞口２６，２６，特定入賞口２７には、カウントセンサ（図８参照）が設けられ、さらには特定入賞口２７には特別駆動状態を発生させるＶセンサ（同じく図８参照）が配設されている。
【００２１】次に、前記玉受皿２は、図７で示すようにその背部で、玉を７個ずつ供給する賞球樋５０ａと、玉を１５個ずつ供給する賞球樋５０ｂとに夫々連通している。前記賞球樋５０ａ，５０ｂは、ソレノイド５１ａ，５１ｂ等により開閉制御され、かつ７個又は１５個の個数の供給を確保する計数供給装置（図示せず）と連通して、当該個数の玉のみが待機するにようにされ、普通入賞口２６，２６，特定入賞口２７に流入した玉が、カウントセンサ又はＶセンサに検知されるたびに、ソレノイド５１ａ，５１ｂのいずれかが開放作動して、所定数の玉を排出するものである。この賞球樋５０ａ，５０ｂの選択的開放は、中央制御装置ＣＰＵにより制御される。
【００２２】すなわち、普通入賞口２６，２６に玉が通過すると、賞球樋５０ａが有効となって、玉が７個づつ排出され、特定入賞口２７に玉が通過すると、Ｖセンサがこれを検知して後述するように、所定条件が満了するまで、入賞ごとに玉が１５個づつ排出される。
【００２９】そしてこの作動と共に、前記賞球樋５０ｂが有効となって、以後例えば所定の入賞個数が消化するまで、または、この特別駆動状態が終了するまで、普通入賞口２６，２６，特定入賞口２７への玉通過に伴って、賞品玉が１５個づつ排出される。
との記載が認められ、これらの記載から、引用文献２には、
　
　パチンコ機において、１つの入賞装置内に複数の入賞口（普通入賞口２６及び特定入賞口２７）を設けるとともに、ある条件下（特定入賞口２７に玉が通過してから所定条件が満了するまで）においては、前記複数の入賞口全部について賞球樋５０ｂを有効とし、それ以外の時は、一部の入賞口（特定入賞口２７）について賞球樋５０ｂを有効とする技術が開示されていると言える。
　
（３）対比
　そこで、本願発明と引用発明とを比較すると、引用発明の「大入賞口１１８」は、本願発明の「大入賞手段(13)」に相当し、以下同様に、
「遊技球Ｂの通過を検出する」は「遊技球を検出する」に、
「ゲート１４０」は「始動手段(12)」に、
「ゲート１４０を遊技球Ｂが通過した場合には」は「始動手段(12)が遊技球を検出することを条件に」に、
「特別図柄を変動させ、その変動後に停止した状態で表示させる」は「１個又は複数個の図柄が所定時間変動して停止する」に、
「特別図柄表示装置１２２」は「図柄表示手段(18)」に、
「変動後に停止した状態で表示された特別図柄が所定の図柄と一致した場合」は「変動後の停止図柄が大当たり図柄となったとき」に、
「払出手段」は「払い出し手段(42)」に、
「入賞の際に払い出す賞品球の個数を可変にする」は「遊技球の１入賞に対して前記払い出し手段(42)が払い出すべき賞品球の賞品球数を変化させる」に、それぞれ相当する。
　
　また、引用文献１全体の記載等からみて、以下のことが言える。
ａ．段落００２２には、「大入賞口ソレノイド１８６は、大入賞口１１８に設けられた蓋１２０を「大当たり」の際に開閉させるためのソレノイドである。」と記載されているが、段落００１８には、「この大入賞口１１８は、「大当たり」の際に開く蓋１２０を備えている。」と記載されているから、大入賞口ソレノイド１８６は、大入賞口１１８に設けられた蓋１２０を「大当たり」の際に開かせるためのものであると認められ、引用発明における「大入賞口１１８に設けられた蓋１２０を開閉させるための大入賞口ソレノイド１８６」は、本願発明の「大入賞手段(13)を遊技者に不利な状態から有利な状態に変換駆動する利益状態を発生させる利益状態発生手段(41)」に実質的に相当する。
　
ｂ．引用発明の「一部の入賞装置以外の他の入賞装置」と本願発明の「複数の入賞領域(22)〜(24)の一部又は全部」は、いずれも「賞品球数が変化する入賞領域」である点で共通している。
　
ｃ．引用発明において、特別図柄が「７７７」の場合、特別図柄が「☆☆☆」の場合は、段落００６１の記載や弾球遊技機における技術常識に照らして、「大当たり」としているものと認められ、それら大当たり図柄の種類によって入賞の際に払い出す賞品球の個数を可変にしているのであるから、引用発明も本願発明における「図柄表示手段(18)の大当たり図柄の種類によって変化させる賞品球数制御手段(44)」の構成を実質的に備えている。　
　
　よって、引用発明と本願発明は、
「大入賞手段と、遊技球を検出する始動手段と、該始動手段が遊技球を検出することを条件に１個又は複数個の図柄が所定時間変動して停止する図柄表示手段と、該図柄表示手段の変動後の停止図柄が大当たり図柄となったときに、前記大入賞手段を遊技者に不利な状態から有利な状態に変換駆動する利益状態を発生させる利益状態発生手段と、賞品球を払い出す払い出し手段とを備え、前記賞品球数が変化する入賞領域への遊技球の１入賞に対して前記払い出し手段が払い出すべき賞品球の賞品球数を、前記図柄表示手段の大当たり図柄の種類によって変化させる賞品球数制御手段を備えた弾球遊技機。」
の点で一致し、以下の点で相違している。
　
［相違点１］本願発明の「大入賞手段(13)」は複数個の入賞領域(22)〜(24)を有しているのに対し、引用発明の「大入賞口１１８」は複数個の入賞領域を有していない点。
　
［相違点２］本願発明は、前記払い出し手段(42)が払い出すべき賞品球の賞品球数を、図柄表示手段(18)の大当たり図柄の種類によって変化させる入賞領域を「複数の入賞領域(22)〜(24)の一部又は全部」としているのに対し、引用発明は、払い出す賞品球の個数が可変な入賞装置を格別限定していない点。
　
［相違点３］本願発明は、賞品球数制御手段(44)が複数の前記入賞領域(22)〜(24)の一部又は全部に対応して設けられているのに対し、引用発明は、入賞の際に払い出す賞品球の個数を可変にする手段がどの入賞装置に対応して設けられているのか格別限定していない点。
　
（４）判断
［相違点１について］図柄表示手段の変動後の停止図柄が大当たり図柄となったときに、大入賞手段を遊技者に不利な状態から有利な状態に変換駆動する弾球遊技機において、前記大入賞手段がその内部に複数の入賞領域を有することは、例えば、当審で通知した拒絶理由に引用した、文献３：特開平７−３９６３０号公報（特に、段落００６１〜００６４）及び文献４：特開平９−２０１４６０号公報（特に、段落００１４〜００１６）に記載されているように、従来周知の事項にすぎないから、引用発明において、大入賞口１１８の内部に複数の入賞領域を設けることは、当業者が適宜実施する設計的事項である。
　
［相違点２、３について］
　引用発明においては、払い出す賞品球の個数が可変な入賞装置を格別限定していないが、他の入賞装置として大入賞口１１８を選択することは、当業者が適宜選択し得る事項であり、［相違点１について］の項で述べたように、大入賞口１１８の内部に複数の入賞領域を設けることは、当業者が適宜実施する設計的事項である。
　そして、その際に入賞の際に払い出す賞品球の個数を可変にする手段を、複数の入賞領域の全部に対応して設けることも、当業者によって当然行われる事項である。
　また、上記３．（２）に記載したように、引用文献２（特開平６−２８５２３２号公報）には、「パチンコ機において、１つの入賞装置内に複数の入賞口を設けるとともに、ある条件下においては、前記複数の入賞口全部について賞球樋５０ｂを有効とし、それ以外の時は、一部の入賞口（特定入賞口２７）について賞球樋５０ｂを有効とする技術」、すなわち、１つの入賞装置内に設けた複数の入賞口の一部又は全部について賞球樋５０ｂを有効とする技術が開示されているので、この技術を引用発明に適用し、入賞の際に払い出す賞品球の個数を可変にする手段を、大入賞口１１８の内部に設けた複数の入賞領域の一部又は全部に対応して設けることは、当業者が容易に想到し得る事項である。
　さらに、本願発明の作用効果も、引用文献１、２の記載及び従来周知の事項から当業者が予測できる範囲のものである。
　したがって、本願発明は、引用文献１、２に記載された発明及び従来周知の事項に基づいて、当業者が容易に発明をすることができたものである。
　
（５）むすび
　以上のとおり、本願発明は、引用文献１、２に記載された発明及び周知技術に基づいて、当業者が容易に発明をすることができたものであるから、本願請求項２については検討するまでもなく、本願は特許法第２９条第２項の規定により特許を受けることができない。
　よって、結論のとおり審決する。